(57)【要約】【課題】  本発明は、現在、風呂に関する物の発明、発売されているが、該風呂に於いては、風呂の入浴時の便利さ（入りやすさ）、美観等を重きにおき為されている。しかし該従来通りの風呂の使用時、該入浴中、前、後において、事故（死ぬ事もふくむ）が多発している。（現在は高齢者、身体支障者が多くなっている故に）【解決手段】  本発明は、以上のような従来の欠点にかんがみ、該対策として、現在は高齢者、身体支障者が多くなっている故に、入浴時、前、中、後において事故（死ぬ事もふくむ）が多発しているので、全く新しい画期的な発明なものとして為す該発明をした椅子式風呂等＆浴槽等を提供する事を目的として発明した。【選択図】  図１
2020182692.tif 000002
【特許請求の範囲】
【請求項１】
床、又は  底部を所持する上に、身体を置き、その床、又は底部と共に、身体の首下、肩下、胸下、腹下位、若しくは足位迄の周囲を囲んだ、うつわ、或いは層を設定した、うつわ、或いは層において、持ち運びが可能とし、
又は、液体、固体、光線、遠赤外線、気体等を、単体、或いは複数にて、挿入、照射、閉じ込めて為す、或いは密閉して為す、構造にて、浴する、あびる、浸かる又は照射する事が出来る特徴のうつわ、或いは層。
【請求項２】
請求項１記載のうつわ、或いは層に於いて、腰かける、座る、立てる事が出来る構造の特徴を持つ、うつわ、或いは層。
【請求項３】
請求項１、又は請求項２の少なくても何れか１つに記載のうつわ、或いは層に於いて、開放又は扉を所持し、身体の出入りを可能となる構造の特徴を持つ、うつわ、或いは層。
【請求項４】
請求項１、２、又は請求項３の少なくても何れか１つに記載のうつわ、或いは層に於いて、車輪を設定した構造の特徴を持つ、うつわ、或いは層。
【請求項５】
請求項１、２、３又は請求項４の少なくても何れか１つに記載のうつわ、或いは層に於いて、穴又はスリットを設けた構造の特徴を持った、うつわ、或いは層。
【請求項６】
請求項１、２、３，４又は請求項５の少なくても何れか１つに記載のうつわ、或いは層に於いて、大きくする、広げる、縮小する、吊るす、又は機能、作用変化を為す事が出来る構成と為す事が出来る特徴の、うつわ、或いは層。
【請求項７】
請求項１、２，３，４，５又は請求項６の少なくても何れか１つに記載のうつわ、或いは層に於いて、液体、固体、光線、遠赤外線、又は気体を循環させる、管理する、報知する、作動する又は停止する構造を有することを特徴とする、うつわ、或いは層。
【請求項８】
請求項１、２、３，４，５，６，又は請求項７の少なくても何れか１つに記載のうつわ、或いは層に於いて、底部、床、壁、槽、又は全体が多重の構造とする特徴を持つ、うつわ、或いは層。
【発明の詳細な説明】
【技術分野】
【０００１】
本発明は、うつわ、層、とする、個々別口別口小槽又はこじんまりした小さい層のうつわ、層と呼べる事象の、小浴槽、小風呂を表すものとする入浴に関する物。
【背景技術】
【０００２】
現在、風呂に関する物の発明、発売されているが、該風呂に於いては、風呂の入浴時の浴層に入りやすさ、美観等を重きにおき為されている。又ゆぶねと称して身体を座って足を延ばしゆったり湯船に浸かるものを指す浴槽、風呂に関するものである。
しかし該従来通りの風呂の使用時、該入浴の際の風呂の中の湯桶の風呂に入る時又その風呂から出る時の動作に於いて風呂桶を跨ぐ際に起こす事故が多く発生している、又入浴の温度に於いて、身体上の熱い等のトラブル発生にて生ずる血圧の乱れを起こす事故においての、事故（死ぬ事もふくむ）が多発している。よって現在は高齢者、身体支障者が多くなっているのでこのような従来の風呂は該事故が多くなっている。
【０００３】
よってこの様な、欠く、欠点があった。
しかしこの様な、該欠点等が発生する場合の対策があまり取られて無かった。
【０００４】
そこで、今までにない画期的なものとして為す、該対策の発明をした。
身体を洗う、又は温める、又は湯につかって浴する等の、該一連の行為を為すにあたり、その安全且つ便利な対策とする発明をした。
【先行技術文献】
【特許文献】
【０００５】
【特許文献１】特開２０００-１９７５３９号公報
【特許文献２】特開２０００-０７００６８号公報
【特許文献２】特開２０１７-０１２７０５号公報
【発明の概要】
【発明が解決しようとする課題】
【０００６】
本発明は、以上のような従来の欠点にかんがみ、該対策として、現在は高齢者、身体支障者が多くなっている故に、入浴前、入浴時の、前、中、後において事故（死ぬ事もふくむ）が多発している。よって、全く新しい画期的な発明なものとして為す、該発明をする風呂の構造物の浴槽等を提供する事を目的としている。  
【課題を解決するための手段】
【０００７】
上記目的を達成するために、本発明は、該請求項の構成要件とで構成している。
請求項の１つの請求項は、床、又は  底部を所持する上に、身体を置き、その床、又は底部と共に、身体の首下、肩下、胸下、腹下位、若しくは足位迄の周囲を囲んだ、うつわ、或いは層を設定した、うつわ、或いは層において、持ち運びが可能とし、又は、液体、固体、光線、遠赤外線、気体等を、単体、或いは複数にて、挿入、照射、閉じ込めて為す、或いは密閉して為す、構造にて、浴する、あびる、浸かる、又は照射する事が出来る特徴のうつわ、或いは層である。
尚、床、又は  底部を所持する床、又は  底部は、基礎構造の上に存在する床、又は  底部であっても、独立した部分とした床、又は  底部と為し、床、又は  底部は自由自在、単独に移動可能でもある。
よって、床、又は  底部を所持する上に、身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層、とする構造は、入浴できる構造の、俗称浴槽、又は風呂である。
上記記載の俗称浴槽、又は風呂は、つまり、身体の安全を第一とし、身体に優しい、更に簡単構造、簡易構造、軽量、一般的に見られた親しみやすい形状、扱いやすい形状、身体の出入りの形状、安全性可、運搬可、機能可、安定重視等を備え、液体、固体、光線、遠赤外線、又は気体を挿入、照射、閉じ込めて為す、或いは、密閉して為す事が出来る、等々その他種々の機能を持つ所の特徴のうつわ、或いは層の浴槽、風呂である。故に身体洗い、癒す事が出来る、うつわ、或いは層である所、所以とする浴槽、風呂である。
故に、上記記載の浴槽は、どこにでも置けたり、手軽に持ち運び出来たり、縮小減少してどの様にも何処にでも収納出来たり、折り畳んだり凹凸の構造変化を為したり、身体に応じて大きくしたり小さくしたり出来る、浴槽、風呂である。故に、簡易に入浴する事が出来る、簡易に収納、仕舞う事が出来る浴槽、風呂である。よって、一部にかぎ穴、吊竿等を設置して、壁に掛けたり、寄せたり、立てたりして、縮小、減少、移動、構造変化をなして、収納する事も出来る浴槽で、風呂ある。
又、請求項の１つは、槽、又は該関連して構成した構造物の層、又は構造物の部分を層として構成する構造物の層、又は該関連部を層として構成する構造物の層、又は該全体をなす構造体を層として構成する構造物の層を、単独、一重、又は多重と為す層を構成する特徴を有する簡易風呂ふう構造物の浴槽、風呂等その他種々の層を構成、種々の組み合わせ為す事が出来る浴槽、風呂ある。
又、此処に於いての槽は、該槽を一つ層として数える事も出来得るとした。上記記載の簡易風呂ふうの構造物、浴槽、風呂における、該構造物の浴槽、風呂の槽を単独の層とも言い表し用いることが出来得る単位とした。
又は、故に、
単独の層を構成した構造物の浴槽、風呂を設定する浴槽、風呂。を１つを単独に構成させたものを１つ用意する、
又は多重の層を構成した構造物の浴槽、風呂を設定する浴槽、風呂。その多重の層を構成したものを別に１つ用意する、
以上記載の別々の単独層及び多重層を設ける層を設定するに於いて、
その単独層及び多重層の該単独の層又は多重の層を混合、混じり合う、交互、咬合の複合、雑多な方法を設定する、部分及び部分的、又は必要に応じた関連部分、又は関与部分に於いても該設定する事が出来る。故に、部分部に単独の層、又は槽も単独の層とする、又は多重の層を設ける事が出来る。又は該全体を該各層ごとに統一する事が出来る。
又、構造物の部分を層として構成する、又必要な関連部分のみを層として構成する、又槽全体を層として為す、又上記記載の層を多重に為す事も可能である。該種々雑多な方法の設定構成出来得る該種々雑多な層において、液体、気体、温水、温風、光線又は遠赤外線の関与をさせる事が出来る。該必要、用途、機能に応じて該機能等々を単数、複数に該機能、構成させ、該発揮させる。よって、一層目の単独を設定、構成させた浴槽にはお湯を張り入浴する、又は適度な赤外線を照射する事により身体を温める事が出来得る。又、２つ層の目を持つ槽の２つの槽詰まり、一層目の槽と二層目の槽を製作し、その２つの該槽を組み合わせ重ねて一つの槽層とする、そこにお湯を張り入浴が出来る構造とする。従って、該１つ層の目等には、お湯が入っていて入浴等出来る。又該２つ層の目等には、常に温度管理保つ機能を持つお湯が設定されている。該お湯は安定、静止滞る、流動性の機能を持つ事が出来る。
尚、該一層目、二層目、多層目における層は、冷水、液体、気体、温水、温風、マッサージ光線、温かい遠赤外線の光線等関与をさせる事が出来る、故に、該必要、用途に合し設定、又は変更する事が出来る該多目的とする用途が出来得る。故に多数設けた層にて、それら該機能させてより良い簡易風呂の浴槽を製作する事が出来る。
又、該流動機能のお湯、冷水、液体、気体、温水、温風、光線又は遠赤外線、は、二層目に設けた単数、又は多数の穴より一層目の槽層に向けて流動する、故に槽（一）、二、三層目から該槽に流動する事が出来る、該機能等々をなしえ、一層より良い身体の温め、冷やす、流し洗い等々の必要、用途を為し得る事が出来る。即ち、１層目、２層目、３層目、多層目を設定して、１層目、２層目、３層目、多層目、等々を組み合わせ、重ねて一つの浴槽層とする、該１、２、３、多層層目に必要、用途、機能に応じた、合せた液体、気体、温水、温風、光線又は遠赤外線を該層の事項に設定する。よって、該安定、静止滞る、流動性の機能を持ち、身体に良い温度管理の清潔行為機能の設定を為す方法となり、よって、層の使い分けをする事が出来る。又、構造物の部分を層として構成する構造物の層の層を、又関連部を層として構成する構造物の層の層を、又該全体を為す構造を層として構成する構造物の層の層を、該単独、１層目、多層目の部分に持ち、更に其処に単数或いは複数の孔を設け、該冷水、液体、気体、温水、温風、光線又は遠赤外線の機能、作用、構成を設定する事も可能である。
【０００８】
上記目的を達成するために、本発明は、該請求項の構成要件とで構成している。
請求項の１つの請求項は、本願特許の出願、うつわ、或いは層に於いて、腰かける、座る、立てる事が出来る構造の特徴を持つ、うつわ、或いは層。等の構造は、通称、浴槽、風呂に価するものです。
然るに、本願特許の特徴及びその他該付随する特徴、構造、等種々における構成におけるこれらの１つの構成、身体を洗う、入浴できる浴槽、風呂、うつわ、或いは層の浴槽における身体の在り方として、腰かけて、洗う、入浴できる浴槽、風呂となる構造、設定の構成をする。座って、洗う、入浴できる浴槽、風呂となる構造、設定の構成をする。立って、洗う、入浴できる浴槽、風呂となる構造、設定の構成をする、故に立って入浴する行為は立つ部分のみの場所の確保であるので、小さな場所で済む利点がある。等々種々の方法も可能とする事が出来る。
故に、
一例として、人間が座ることが出来る座部と、前記座部に座った人間の足を置くための領域であって、前記座部よりも低い位置に配置され、かつ前記座部よりも平面視での面積の小さな足置部と、前記座部における前記足置部とは反対側となる背面側に立設された背面壁部と、前記座部及び前記足置部の幅方向の両側に立設され、前記背面壁部に連なる一対の側壁部と、一対の前記側壁部間における前記背面壁部と対向する位置であって、前記足置部における前記座部とは反対側となる位置に形成されており、人間が出入りする可能な開口部と、前記開口部を開閉可能な開閉部と、を備え前記背面壁部と、一対の前記側壁部、閉鎖状態にある前記開閉部とによって四方が囲まれた領域に湯張り可能であって、前記四方が囲まれた領域の底部が前記座部及び前記足置部からなる該浴槽に於いて、該浴槽は、収納、縮小、減少、広大、移動、構造変化、又は折り畳む事が出来る事が可能とする事を特徴とする事も可能な浴槽、風呂である。
上記記載の浴槽は、どこにでも置けたり、手軽に持ち運び出来たり、縮小減少してどの様にも何処にでも収納出来たり、折り畳んだり凹凸の構造変化を為したり、身体に応じて大きくしたり小さくしたり出来る、浴槽、風呂である。故に、簡易に入浴する事が出来る、簡易に収納、仕舞う事が出来る浴槽である。よって、一部にかぎ穴、吊竿等を設置して、壁に掛けたり、寄せたり、立てたりして、縮小、減少、移動、構造変化をなし収納出来る浴槽である。
よって、と共に、即ち、請求項に於いては、腰掛ける椅子ふうの構造の該両サイド及び該バックの該周囲を囲んで形状構成した形態物体、構造体、又は両サイド及び該バック及び該床を所持し其処に該身体を投入、座る事が出来る構成の該周囲を囲んで形状構成した形態物体、構造体に於いて、前記記載の形態物体、構造体の前方或いは前側周辺を囲む機能、構造、形状、又は形態の構成を為した、それらは、詰まり、前記記載の該周囲を囲んで形状構成した形態物体、構造体と後記記載の前記記載の形態物体、構造体の前方或いは前側周辺を囲んで構成を為した物、体と物、体とのロッキングした形態物体、構造体である。それらが相添、相合、合体、又は一体化を為した該形態物体、構造体と為した、該形態物体、構造体に、液体、気体、温水、温風、遠赤外線、光線、を関与設定出来得る特徴を有する簡易風呂の構造物の浴槽である。
尚、前記記載等の構造物、椅子において、構造物、腰掛ける椅子のサイド、又該椅子に足置を所持した、該構造物、床、椅子のサイド及び該バック及び該上部、該の該周りを囲んだ該構造物、該椅子に於いて、該構造物、椅子の前部を囲む機能、構造、又は構成を設定する事により、該構造物、又は椅子ふう風呂と為し、其処は気体、液体、固体、光線をあてる、又は溜める事が出来る特徴を有する構造物、又は椅子式ふう風呂の浴槽と為す。
尚、椅子の両サイド（両脇、両肘）及び該（後ろ側）バックの周辺を囲んだ該椅子に於いて、該椅子の前側（前部分）周辺を囲む、機能、構造、又は構成等（形状形態をも指す）を設定して、前記記載の椅子（椅子の両サイド及び該バックの周辺を囲んだ該椅子）と後期記載の椅子（該椅子の前側周辺を囲む機能、構造、形状形態又は構成等）を合体、一体する事が出来る特徴を有する構造物、椅子式風呂の浴槽で、該椅子式風呂は液体等の湯を貯める事が出来るものであって身体を洗い、入浴出来る椅子ふう風呂等の浴槽等でもある。
【０００９】
上記目的を達成するために、本発明は、該請求項の構成要件とで構成している。
請求項の１つの請求項は、本願特許出願のうつわ、或いは層に於いて、開放又は扉を所持し、身体の出入りを可能となる構造の特徴を持つ、うつわ、或いは層。を示す構造は、俗称、浴槽、風呂と言う。
本願特許出願のうつわ、或いは層に於いて、全面開放、部分開放する、又は扉を所持し、身体の出入りを容易に可能、便利となる構造の特徴を持つ、うつわ、或いは層。とする、を示す構造で、俗称、浴槽、風呂と言う。
上記記載請求項２つの記載に於いて、うつわ、層とする構造の風呂となる故に液体等が漏れない事が出来る構造とする構成とする故に、全面が囲まれているので、身体を出す扉を設定した。尚、風呂から、またいて出る方法
もあるが、身体者、高齢者には扉がある方が好ましい。
【００１０】
上記目的を達成するために、本発明は、該請求項の構成要件とで構成している。
請求項の１つの請求項は、本願特許の出願、うつわ、或いは層に於いて、車輪を設定した構造の特徴を持つ、うつわ、或いは層。を示す構造は、俗称、浴槽、風呂である。
本願特許の出願、うつわ、或いは層の浴槽に於いて、うつわ、或いは層の浴槽に、車輪を設定して、どこにでも移動可能とする事が出来るとした。身体の大小重い軽い関係なく、そのうつわ、或いは層の浴槽に
身体を載せても、車、輪を装着により、軽々移動できる、動かすことができる。
よって、うつわ、或いは層の浴槽に、該車、輪を装着した、そのうつわ、或いは層の浴槽の横側に連結する別の車、輪を設定して、一人でも動かすことができる連動機能を設定する事が出来る。
故に、一人でも動かすことができる連動機能にて一人でも入浴できる浴槽、風呂である。
【００１１】
上記目的を達成するために、本発明は、該請求項の構成要件とで構成している。
請求項の１つの請求項は、本願特許の出願、うつわ、或いは層に於いて、  請求項１、２、３又は請求項４の少なくても何れか１つに記載のうつわ、或いは層に於いて、穴又はスリットを設けた構造の特徴を持った、うつわ、或いは層。は俗名浴槽、風呂である。
よって、うつわ、或いは層の浴槽に設けた穴を塞ぎ、浴槽にお湯を張る事が出来る。又該浴槽の穴を塞いでお湯を張った、浴槽のお湯を、該浴槽の穴を開放して該お湯を抜く事が出来る。
液体、固体、気体を設ける、満たす、張る、閉じ込める等種々の機能を持つ、うつわ、或いは層の浴槽に於いて、それら、その部分に、穴又はスリットを設ける事によって、上記記載の機能、構造等の閉じ込める種々から身体を開放する事ができる。
必要部の部分スリット加工は、部分的な機能、作用を持たせる機構により、スリット加工から出るお湯は、身体的に効果的な圧力を為すマッサージ事が出来る、有意義となる、うつわ、或いは層の浴槽、風呂である。
尚、うつわ、或いは層の浴槽、風呂の掃除に於いても、便利な、有意義な、うつわ、或いは層の浴槽、風呂とする事が出来る。
故に、請求項は、密閉する、該密閉解除、漏れ防止、漏れ防止解除、流通経路、連絡通路、吹き出し溝、噴きだし口、ふきだし孔、流動孔、滑り止め、又は流出孔の機能、構造、作用、又は形状を構成した
特徴を有する簡易風呂ふう構造物の浴槽、風呂である。
【００１２】
上記目的を達成するために、本発明は、該請求項の構成要件とで構成している。
請求項の１つの請求項は、本願特許の出願、うつわ、或いは層に於いて、請求項１、２、３，４又は請求項５の少なくても何れか１つに記載のうつわ、或いは層に於いて、大きくする、広げる、又は変化を為す事が出来る構造の特徴を持つ事が出来る、うつわ、或いは層。は俗名浴槽、風呂である。
伸ばす、縮める、広大、縮小する又はスライド式等を為す事が出来る機能、作用、構造を有して、その場所に存在、該沿った、身体に合わした、機能、環境、又は変化に添った、構造とすることにより、一層、使用し易い、入浴し易い、機能、構造とする事が出来る、うつわ、或いは層の浴槽、風呂である。
故に、請求項は、簡易風呂ふうの構造物の浴槽、風呂と為し、該全体或いは各部所等に於いて、凸、凹める、広大、縮小、滑り止め、移動可能等による機能、作用の構成等の変化、或いは静止、形状の変化、形状の追加、報知の設置、又は該管理装置等の該機能、形状、作用、構造を設定構成する特徴を有する簡易浴槽、風呂ふうの構造物である。故に、
簡易風呂ふうの構造物の浴槽、風呂は、箱形、丸型、又は種々雑多な形状を為す事が出来る、該形式、構成を設定してなる故に用途に合わせてなる構造と為す特徴を有する事が出来る。よって、身体良好な機能の設定をする事により身体に対して安心、またリラックスする構造、機能を有し入浴等出来る。
前記記載に於いて、該椅子等々の前側を囲む機能、構造、又は構成は、腰掛ける身体の位置、足場の設定の位置等の身体の在り方による該大小、曲げ、突出の形状形態を設定し、安定した、入りやすい、便利な特徴を有する構造、椅子式ふう風呂とする事が出来る。又、前記記載の該構造、椅子等の後部に背もたれがある部分を設置する事も出来る。故に首を支える機能構造を持てる、又前記機能構造の前方に顔を支え顔が湯に浸からなくて済むような前受板、張りだし、手もたれ機能構造を設置する事も出来る。適当なお湯の張れる高さ、温度を調節する機能構造構成等の備える事が出来る。
又、大小伸縮小広大移動等変化構造と為す事も可能である、よって、収納も簡単、場所も取らない少なくて済む、便利な、形状、形態、又は構造の構成の椅子式風呂の浴槽である。尚、形状形とは、箱型、丸型、突出し形、凹凸形、蛇腹、折り畳み、等々の種々な形状をも可とする。よって、一例として、前記機能構造にて顔を支え湯に浸からなくて済むような、両サイドに横前渡しの板の板を設定、機能、構造と為す、又適当なお湯の張れる高さを調節する広大機能構造構成等の備える事が出来る椅子式風呂の浴槽に於いても、蛇腹形構造形状を為して該蛇腹状に巻いてすぐ横、前に出せる移動が出来る、又蛇腹状に巻いて縮小、小さくする事が出来るので収納も簡単、場所も取らない少なくて済む、便利な、形状、形態、又は構造の構成の椅子式風呂が出来る。よって、どの角度、位置からでも該記載された機能、構成等により該簡易風呂に簡単に身体の出し入れが出来又お湯を溜める事が出来る。又、報知機能設置する事によって、他方に知らせて用を頼む、又危険時を知らせる等々を報知する事が出来る。
上記記載の種々の形状形式を設定する事が出来る事ので、該受容、需要、用途、に合せた構成とする事が出来る特徴を有する椅子式風呂等々の浴槽である
該浴槽は、更に収納、縮小、減少、広大、移動、構造変化、又は折り畳む事が出来る事が可能とする事を特徴とする浴槽を為す事が出来るので、該使い方等種々な用途が広がる特徴となる浴槽である。
該浴槽の囲いを開閉自在に為す。
又、該浴槽の囲いを開閉せず、該浴槽の中に、身体の入出を容易に可能とする機能を有する構造とする、において、該機能、構造は、伸縮性を持つ該材料（ビニ−ル）等の起用にて、為す。例えば、該浴槽の囲い部を、該伸縮性を持つビニ−ル等にて被いかぶす、該伸縮性の側のビニ−ル等を押しひろげて、又は、下にさげて、該浴槽の囲いを開閉せずに、浴槽に身体の入出させる事が出来る特徴を有する浴槽である
【００１３】
上記目的を達成するために、本発明は、該請求項の構成要件とで構成している。
請求項の１つの請求項は、本願特許の出願、うつわ、或いは層に於いて、請求項１、２，３，４，５又は請求項６の少なくても何れか１つに記載のうつわ、或いは層に於いて、液体、固体、光線、遠赤外線、又は気体を循環させる、管理する、報知する、又は停止する構造を有することを特徴とする、うつわ、或いは層。は、俗名浴槽、風呂である。
又は、層と層との間に空間を所持し、該層の間に、其々の液体、気体、温水、温風、遠赤外線、光線、を関与設定出来得る特徴を有した層の風呂である。該層を必要な利用の仕方で身体に有意義な効能、働き、作用を為す構造が出来る。
万一には報知する機能を備え万全を為す。故に、身体に有意義な効能、働き、作用を為す構造で凸、凹める、広大、縮小、移動可能等の形状の変化、形状の追加、それに報知の設置、又は前記記載の該管理装置等の設定構成する事により、有意義な特徴を有する簡易風呂ふうの構造物の浴槽である。
該発明は、例えば、該椅子風呂に液体、固体の流動、温度の機能を設ける事を特徴とする風呂の構成要件とで構成されているので、該風呂にお湯を入れる、溜める、該適温、適切流れをなし、健康マッサ−ジ機能等と為す働きを有する、該機能を以て必要に応じた構造、機能とする該設定をする。必要に応じた方法、構造の機能構造変化をも設置できるも可能であるので、浴槽にお湯を注ぐ、温度管理、身体にそそぐ等流れの機能を種々雑多に設ける事によってお湯の温度管理、流動機能を高め安心、安全性を為す、心地良い快適な入浴時の設定事が出来る効果を得られる。
請求項の記載の浴槽に於いて、前記記載の形状、機能、又は作用に於ける該変化、又は可動を為す構造又は構成となし、身体に良好、安心、安全、リラックスを関与させる事が出来る特徴となす浴槽、風呂である。
【００１４】
上記目的を達成するために、本発明は、該請求項の構成要件とで構成している。
請求項の１つの請求項は、本願特許の出願、うつわ、或いは層に於いて、請求項１、２、３，４，５，６，又は請求項７の少なくても何れか１つに記載のうつわ、或いは層に於いて、底部、床、壁、槽、又は全体が多重の構造とする特徴を持つ、うつわ、或いは層。は俗名浴槽、風呂である。
該一層目、二層目、多層目と為す、多重の層からなす層は、冷水、液体、気体、温水、温風、マッサージ光線、温かい遠赤外線の光線等を関与をさせる事が出来る、故に、該必要、用途に合し設定、又は変更する事が出来る該多目的とする用途が出来得る。故に多数設けた層にて、それら該機能させてより良い簡易風呂の浴槽を製作する事が出来る。
又、該流動機能のお湯、冷水、液体、気体、温水、温風、光線又は遠赤外線、は、二層目に設けた単数、又は多数の穴より一層目の槽層に向けて流動する、故に槽（一）、二、三層目から該槽に流動する事も出来る、該機能等々をなしえ、一層より良い身体の温め、冷やす、流し洗い等々の必要、用途を為し得る事が出来る。即ち、１層目、２層目、３層目、多層目を設定して、１層目、２層目、３層目、多層目、等々を組み合わせ、重ねて一つの浴槽層とする、該１、２、３、多層層目に必要、用途、機能に応じた、合せた液体、気体、温水、温風、光線又は遠赤外線を該層の事項に設定する。よって、該安定、静止滞る、流動性の機能を持ち、身体に良い温度管理の清潔行為機能の設定を為す方法となり、よって、層の使い分けをする事が出来る。又、構造物の部分を層として構成する構造物の層の層を、又関連部を層として構成する構造物の層の層を、又該全体を為す構造を層として構成する構造物の層の層を、該単独、１層目、多層目の部分に持ち、更に其処に単数或いは複数の孔を設け、該冷水、液体、気体、温水、温風、光線又は遠赤外線の機能、作用、流動、構成を設定する事も可能である。
然るに、単独又は関連して構成した部分又は関連部又は該全体をなす構造体を一重或いは二重或いは多重に構成する特徴を有する簡易風呂ふうの構造物の浴槽である。
層と層との間に空間を所持し、該層の間に、其々の液体、気体、温水、温風、遠赤外線、光線、を関与設定出来得る特徴を有した層である。該層を必要な利用の仕方で身体に有意義な効能、働き、作用を為す構造が出来る。
故に、底部、床、壁、槽、の全体を多重層に、又は底部、床、壁、槽、の一部分、部分的に多重の構造とする特徴として使用、作用、構造と為して構成することにより、より一層目的利用と為す事が出来る。
【発明の効果】
【００１５】
以上の説明から明らかのように、本発明にあっては次に列挙する効果が得られる。
【００１６】
本願特許の発明は、浴槽は、どこにでも置けたり、手軽に持ち運び出来たり、縮小減少してどの様にも何処にでも収納出来たり、折り畳んだり凹凸の構造変化を為したり、必要個所、又は身体に応じて大きくしたり小さくしたり出来る、浴槽である。故に、簡易に安易、安全、便利、狭い小さな適当な場所にて有効な効果的に入浴する事が出来る、又簡易に収納、仕舞う事が出来る簡易、便利な浴槽である。
又、腰掛ける椅子ふうの構造の該両サイド及び該バックの該周囲を囲んで形状構成した形態物体、構造体に於いて、前記記載の形態物体、構造体の前方或いは前側周辺を囲む、ぴったりフィットした板等にて、機能、構造、形状、又は形態の構成を為して、それらは、合体、一体化を為した該形態物体、構造体と為した、該形態物体、構造体に、液体、気体、温水、温風、遠赤外線は健康な肌を作るに等しい該日光浴を浴びる様な効果、又は光線は消毒洗浄の効果を関与設定出来得る特徴を有する簡易風呂ふうの構造物である事を示す該形態物体、構造体浴槽にお湯を入湯して、入浴等出来る。故に小さい、狭い設置に於いても置くことが出来、更に其々の身体に合った入浴場を作る事が出来る浴槽である。
一例として、椅子の周りに囲いを設けて、液体、固体、気体をためる事が出来る特徴を有する椅子式風呂の構成要件とで構成されているので、つまり椅子の周りに囲いを設けて、適宜適切な量の気体、液体、固体を貯める事が出来る形状、構造、形態の特徴を有する椅子式風呂で構成されているので、風呂（背もたれのある椅子風呂とした構造構成も可）は、次のことが出来る便利、安全な、快適な入浴が出来る。例として先ず椅子に腰かけたまま洗う事も出来る。又椅子に腰かけたまま身体を流す事も出来る。又、椅子の周りを囲みお湯を貯める事が出来る様にする該お湯を逃がさない様にして、身体をお湯に浸かる、温める事が出来る、該機能構造を設けた事により、椅子に腰かけたままで入浴する事が出来る。又入浴時後のお湯を抜くことも出来る。又該入浴時のお湯の量は適宜適切に管理、設定する事が出来る。よって、お湯に対する事故（脳溢血、脳梗塞、湯に溺れる、踏み外し、つまずき、等又は該から為す怪我、死）が発する可能性は無い、又座れない人、腰を下ろせない人は、腰掛けて入浴が出来る効果をも得られる。又椅子式風呂を掃除洗う際傾斜等構造にて、しゃがまなくて良い、座らなくて良い、椅子の横からでも楽に簡易に掃除洗う事が出来る効果をも得られる。
該椅子の形状、構造、形態又は機能の変化が設けられた事を特徴とする椅子式風呂の構成要件とで構成されているので、該変化を以て、形状、構造、形態又は機能を好みに応じた、必要に応じた入浴の仕方に色々とそれらを変え、入浴の便利、安全な、楽しむ、椅子式浴槽風呂として使用する。又形状、構造、形態又は機能の変化をボタン操作にて簡単に行える物とする椅子式風呂である。又従って、身体に支障を持つ者、高齢者、座れない人、腰を下ろせない人等は、腰掛けて入浴が出来る安心なゆとりを以て快適な入浴が出来る効果をも得られる。
本願特許の発明の風呂は扉を所持し、高齢者、幼児、身体障害者に於いても、風呂から簡易に身体移動する事が出来る。
【００１７】
単独又は関連して構成した部分又は関連部又は該全体をなす構造体を一重或いは二重或いは多重に構成する特徴を有する簡易風呂ふうの構造物の浴槽である。
層と層との間に空間を所持し、該層の間に、其々の液体、気体、温水、温風、遠赤外線、光線、を関与設定出来得る特徴を有した層である。該層を必要な利用の仕方で身体に有意義な効能、働き、作用を為す構造が出来る。
多重構造は液体、気体、温水、温風、遠赤外線、光線、の使い分けによって、それらの種々の機能によりその効能、高濃度の使用、利用を為す事が出来る。例えば、多重層構造の該一層に湯殿に注ぎ込む暖かい、又は熱いお湯
を注ぐ構造を設定して、湯殿のお湯を調整する事が出来る機能を備え付けて、柔らかいお湯、適温なお湯の設定を為して、安定、安全、安心、心地よい風呂構造の多重に構成のうつわ、器とする事も出来る。
又、二重或いは多重に構成の、個所、個所の何の多重場所、各々個所、場所を選定して、液体、気体、温水、温風、遠赤外線、光線、種々の機能を別々に、交互に又は同時に関与させて、身体に有意義な効能、働き、作用を為す構造を設定する多重の構成のうつわ、器とする。
或いは、全体或いは各部所等において、  前記記載の各部所等において、凸、凹める、広大、縮小、移動可能等の形状の変化、形状の追加、報知の設置の機能、形状、作用、構成の設定する特徴を有するもので、身体に優しい、且つ安全対策をなし、又凸、凹める、広大、縮小、の構成の構造物と為す事が出来、大人でも、子供でも合った入浴等出来る構造物である。又どの地点方向からでも簡易風呂に入湯できる便利さが有り、又万一には報知する機能を備え万全を為す。故に、身体に有意義な効能、働き、作用を為す構造で凸、凹める、広大、縮小、移動可能等の形状の変化、形状の追加、それに報知の設置、又は前記記載の該管理装置等の設定構成する事により、有意義な特徴を有する構造物の浴槽、風呂である。
【００１８】
発明は、例えば、椅子風呂構造に構成した、風呂に液体、固体の流動、温度の機能を設ける事を特徴とする椅子式風呂の構成要件とで構成されているので、該椅子風呂にお湯を入れる、溜める、該適温、適切流れをなし、健康マッサ−ジ機能等と為す働きを有する、該機能を以て必要に応じた構造、機能とする該設定をする。必要に応じた方法、構造の機能構造変化をも設置できるも可能であるので、浴槽にお湯を注ぐ、温度管理、身体にそそぐ等流れの機能を種々雑多に設ける事によってお湯の温度管理、流動機能を高め安心、安全性を為す、心地良い快適な入浴時の設定事が出来る効果を得られる。
前記記載の形状、機能、又は作用に於ける該変化、又は可動を為す構造又は構成となし、身体に良好、安心、リラックスを関与させる事が出来る特徴となす浴槽となす。
浴槽は、更に収納、縮小、減少、広大、移動、構造変化、又は折り畳む事が出来る事が可能とする事を特徴とする浴槽を為す事が出来るので、該使い方等種々な用途が広がる特徴となる浴槽である。
浴槽の囲いを開閉自在に為す。又、該浴槽の囲いを開閉せず、該浴槽の中に、身体の入出を容易に可能とする機能を有する構造とする、において、該機能、構造は、伸縮性を持つ該材料（ビニ−ル）等の起用にて、為す。例えば、該浴槽の囲い部を、該伸縮性を持つビニ−ル等にて被いかぶす、該伸縮性の側のビニ−ル等を押しひろげて、又は、下にさげて、該浴槽の囲いを開閉せずに、浴槽に身体の入出させる事が出来る特徴を有する浴槽である。
【図面の簡単な説明】
【００１９】
【図１】機構を示す側面図
【図２】機構を示す側面図
【図３】機構を示す側面図
【図４】機構を示す側面図
【図５】機構を示す側面図
【図６】機構を示す側面図
【図７】機構を示す側面図
【図８】機構を示す側面図
【図９】機構を示す側面図
【図１０】機構を示す側面図
【図１１】機構を示す側面図
【図１２】機構を示す側面図
【図１３】機構を示す側面図
【図１４】機構を示す平面図
【図１５】機構を示す平面図
【図１６】機構を示す平面図
【発明を実施するための形態】
【００２０】
図より続く番号である
以下、本発明の実施の形態を図に基づいて説明する。
なお、各実施の形態を通じ、同一の部材、要素または、部品、部分には同一の符号を付して、其の説明を省略する場合もある。
【実施例１】
【００２１】
図１は、本発明の実施例の該部分機構を示す側面図であって、
請求項の１つの、床、又は  底部を所持する上に、身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層とする浴槽、風呂。とする、
その床、又は  底部を所持し、その上に、身体を置き、身体の首下、位迄の周囲を囲むことができる大きい、うつわ、或いは層を設定して浴槽とする箱にて、持ち運びが可能と出来る、身体の首下、位迄の周囲を囲む箱。
【実施例２】
【００２２】
図２は、本発明の実施例の該部分機構を示す側面図であって、
請求項の１つの、床、又は  底部を所持する上に、身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層とする浴槽、風呂。とする、その構造の１つの過程で、その床、又は  底部を所持し、その上に、身体を置き、身体の肩下、位迄の周囲を囲むことができる中位の、うつわ、或いは層を設定して浴槽とする箱にて、持ち運びが可能と出来る、身体の肩下、位迄の周囲を囲んだ中位の箱。
【実施例３】
【００２３】
図３は、本発明の実施例の該部分機構を示す側面図であって、
請求項の１つの、床、又は  底部を所持する上に、身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層とする浴槽、風呂。とする、その構造の１つの過程で、その床、又は  底部を所持し、その上に、身体を置き、身体の胸下、位迄の周囲を囲むことができる小位の、うつわ、或いは層を設定して浴槽とする箱にて、持ち運びが可能と為氏、身体の胸下、位迄の周囲を囲んだ小さめ位の箱。
【実施例４】
【００２４】
図４は、本発明の実施例の該部分機構を示す側面図であって、
請求項の１つの、床、又は  底部を所持する上に、身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層とする浴槽、風呂。とする、その構造の１つの過程で、その床、又は  底部を所持し、その上に、身体を置き、身体の足位迄の周囲を囲むことができる極小位の、うつわ、或いは層を設定して浴槽とする箱にて、持ち運びが可能と為し、身体の足位迄の周囲を囲んだ極小位の箱。
【実施例５】
【００２５】
図５は、本発明の実施例の該部分機構を示す側面図であって、
前記記載の実施例１、  図１、における図が示す、持ち運びが可能と出来る、身体の首下、位迄の周囲を囲む箱の中に、身体を置き、そこに液体、固体、光線、遠赤外線、又は気体を挿入、照射、閉じ込めて為す、或いは、密閉して為す事が出来る構造にて構成する。そのほっするとする、それらのその工程、その作用、その作業を進める事により、より豊かな入浴、浴する又は照射する事が出来る浴槽、風呂とする。
【実施例６】
【００２６】
図６は、本発明の実施例の該部分機構を示す側面図であって、
前記記載の実施例１、  図２、における図が示す、持ち運びが可能と出来る、座って身体の肩下、位迄の周囲を囲む箱の中に、身体を置き、そこに液体、固体、光線、遠赤外線、又は気体を挿入、照射、閉じ込めて為す、或いは、密閉して為す事が出来る構造にて構成する。そのほっするとする、それらのその工程、その作用、その作業を進める事により、肩下までの液体の挿入にて、安全、安定し、より豊かな入浴、浴する又は照射する事が出来る浴槽、風呂とする、
又、前記記載の実施例１、  図３、における図が示す、持ち運びが可能と出来る、身体の胸下、位迄の周囲を囲む箱の中に、身体を置き、そこに液体、固体、光線、遠赤外線、又は気体を挿入、照射、閉じ込めて為す、或いは、密閉して為す事が出来る構造にて構成する。それらのその工程、その作用、その作業を進める事により、より豊かな入浴、浴する又は照射する事が出来る浴槽、風呂とする事も可能である。
【実施例７】
【００２７】
図７は、本発明の実施例の該部分機構を示す側面図であって、
前記記載の実施例１、  図４、における図が示す、持ち運びが可能と出来る、座って身体の腹下位迄の周囲を囲む箱の中に、身体を置き、そこに液体、固体、光線、遠赤外線、又は気体を挿入、照射、閉じ込めて為す、或いは、密閉して為す事が出来る構造にて構成する。その欲するとする、それらのその工程、その作用、その作業を進める事により、より豊かな入浴、浴する又は照射する事が出来る浴槽、風呂とする、
【実施例８】
【００２８】
図８は、本発明の実施例の該部分機構を示す側面図であって、
両サイド及び該バック及び該床を所持し其処に該身体を投入、座る等が出来る構成の形態物体、構造体において、該形態物体、構造体の該前側（前部分）の該周囲を囲んで形状構成した形態物体、構造体に於ける、該形態物体、構造体の前側方の周辺を囲む。該構造方法は両開き観音ひらきで左右対称に開閉式を用いて一体にして構成した囲い込み機能構造とする。つなぎ目部分は、シリコン等にて癒着、ヒットする漏れを防ぐ癒着構造を為した。よって、該形態物体、構造体内に液体等の湯を貯める事が出来るものでる。故に入浴が出来る簡易浴槽、風呂である。
該両開き観音ひらきは身体の入れ出し、お湯の入排出を容易に、便利、適宜適切に行える利点がある。
故に、簡単簡易、便利、特定の小さな箱の設定により、より豊かな簡易な洗い、安全、安心な入浴、浴する又は照射する事が出来る浴槽、風呂とする、その浴槽、風呂に於いて、その前面に身体を出し入れ出来、又簡易に持ち運びが、出来る浴槽、風呂である。
【実施例９】
【００２９】
図９は、本発明の実施例の該部分機構を示す側面図であって、
両サイド及び該バック及び該床を所持し其処に該身体を投入、座る事等が出来る構成の形態物体、構造体において、該形態物体、構造体の該前側（前部分）の該周囲を囲んで形状構成した形態物体、構造体に於ける、該形態物体、構造体の前側方の周辺を囲む。該構造方法は蛇腹構造の開閉式を用いて一体にして構成した囲い込み機能構造とする。該蛇腹は畳み掛けて小さく出来る故に開閉、収納又は場所における便利さが重宝される。つなぎ目部分は、シリコン等にて癒着、ヒットする漏れを防ぐ癒着構造を為した。よって、該形態物体、構造体内に液体等の湯を貯める事が出来るものでる。故に入浴が出来る簡易風呂である。身体の入れ出し、お湯の入排出を容易に、便利、適宜適切に行える利点がある。
【実施例１０】
【００３０】
図１０は、本発明の実施例の該部分機構を示す側面図であって、
椅子の両サイド及び該（後ろ側）バックの周辺を囲んだ該椅子に於いて、該椅子の前側方の周辺を囲む構造は、取付け、取り出し可能な側面一部と前方を一体にして構成した囲い込み機能構造は該椅子とに癒着、ヒットする癒着構造を為した構成等（形状形態をも指す）を設定して、記載の椅子（椅子の両サイド及び該バックの周辺を囲んだ該椅子）と記載の椅子（該椅子の前側周辺を囲む機能、構造、形状形態又は構成等）を合体、一体する事が出来る特徴を有する椅子式風呂を構成した椅子式ふう風呂に於いて、該椅子式ふう風呂は液体等の湯を貯める事が出来るものであって入浴が出来る椅子風呂である。前面に開放、取り外し可能な扉を所持する風呂構造です。
【実施例１１】
【００３１】
図１１は、本発明の実施例の機構を示す側面図であって、椅子の両サイド及び該（後ろ側）バックの周辺を囲んだ該椅子に於いて、該椅子の前側方の周辺を囲む構造は、取付け、取り出し可能な側面一部と前方を一体にして構成した囲い込み機能構造は該椅子とに癒着、ヒットする癒着構造を為した構成等（形状形態をも指す）を設定して、前記記載の椅子（椅子の両サイド及び該バックの周辺を囲んだ該椅子）と後期記載の椅子（該椅子の前側周辺を囲む機能、構造、形状形態又は構成等）を合体、一体する事が出来る特徴を有する椅子式風呂を構成した椅子式ふう風呂に於いて、該椅子式ふう風呂は液体等の湯を貯める事が出来るものであって入浴が出来る椅子風呂である。
図１１の脇に記載の図は、本発明の実施例の機構の該椅子の前側方の周辺を囲む構造を別途取り出し横から見た形を詳細に明記した物である。
【実施例１２】
【００３２】
図１２は、本発明の実施例の該部分機構を示す側面図であって、
請求項の１つの、床、又は  底部を所持する上に、身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層とする浴槽、風呂。とする、その構造の１つの過程で、その床、又は  底部を所持し、その上に、座った状態で身体を置いて運ぶ事ができる板状版を設定し、その下部に車輪を４個装着して、板状版を稼働、移動する事が出来る構造とする稼働板状版で、
その上に、座った状態の身体を載せた板状版に手押し形状の取手を装着させた。故に手押し車の取手を使用する事により、簡易便利に人を介して移動可能としている。
【実施例１３】
【００３３】
図１３は、本発明の実施例の該部分機構を示す側面図であって、
請求項の１つの、床、又は  底部を所持する上に、座って身体を置き、その床、又は底部と共に、身体の首下、肩下、胸下、若しくは、腹下位迄の周囲を囲んだ、うつわ、或いは層を設定した、うつわ、或いは層において、持ち運びが可能とし、又は、液体、固体、光線、遠赤外線、又は気体を挿入、照射、閉じ込めて為す、或いは、密閉して為す事が出来る構造にて、浴する又は照射する事が出来る特徴のうつわ、或いは層とする浴槽、風呂。とする、その構造の１つの過程で、その床、又は  底部を所持し、その上に、身体を置き、座って身体の胸下、位迄の周囲を囲むことができる中位の、うつわ、或いは層を設定したその浴槽に液体を張って入浴をする、その後、湯舟の湯を抜く為に、湯舟の角下に穴を設定し、穴から湯を抜いた、排出出来る構造である。
故に、持ち運びが可能と為し、身体の胸下、位迄の周囲を囲んだ小さめ位の便利な箱。
尚、身体の指定位置とする個所に対して、必要とする個所を除く他の部分的に穴をあけて、そこから液体、固体を送出させます。
又、本発明の実施例の該部分機構を示す該湯舟に液体、固体を上から投入、流動させる入浴、健康刺激をなして、液体、固体を該穴から排出、還流、流動させる事により、該身体部分の刺激とした効能を打ち出す療法とします。故に又、液体は常に湯船に補給することが望ましい。
又、構造物の浴槽を中心にして、二重に層を設けた二重層構造の浴槽を設定する。該浴槽には、お湯を投入、又該抜くも可能である。入浴層の内側の一つ目の層の壁には無数の孔、穴が開けられている。該孔はバック側及び該床にも設定されている。該層の該孔より、温風が浴槽に吹き出し流動する機能を有し、身体を乾かす事が出来る。又入浴層の外側の二つ目の層にはお湯が張られている。よって、お湯作用を該浴槽の二重層に投入されている為、冷めない温かいお湯に守られた、入浴は身体が温かく、入浴の後には濡れた身体を温風にて乾かす、身体に優しい、簡易風呂ふうの構造物である。尚該孔を必要に応じて塞ぐ機能も備える事も可能である。温風の代わりに液体、気体、温水、遠赤外線、光線、等を必要に応じて使い分けて使用する事が出来る。
【実施例１４】
【００３４】
図１４は、本発明の実施例の機構を示す側面図であって、
図１４の浴槽を折り畳む、穴をあける、引っ掛け具を付ける、壁側、上から吊るす、浴槽を平面となる形状の構造にする等々その他種々な方法がある活用とするその１例である。
故に、必要個所に適用する形状と為す、該移動可能とする、該収納する事が出来る浴槽とする事が出来る。
又浴槽の壁の後前側を開き、へりを上に畳んで持ち上げ縮小して、止め鉤にて、止め場所にて該浴槽を止めて浴槽を安定させた浴槽。
然るに、本発明の浴槽に４つの足を持ち、構造機構を示しその図を横に開いて、折りたたんで縮小するにあたり、その機能構造と為し、進行の展開の段階の示す浴槽の該展開浴槽図。
【実施例１５】
【００３５】
図１５は、うつわ、或いは層の浴槽に於いて、液体、固体、光線、遠赤外線、又は気体を循環させる、管理する、報知する、又は停止する構造を有することを特徴とする、うつわ、或いは層の浴槽、風呂である。
図１５は、本発明の実施例の機構を示す側面図であって
両サイド及び該バック及び該床を所持し其処に該身体を投入に於ける、立つ、座る事が出来る構成の形態物体、構造体において、該形態物体、構造体の該前側（前部分扉側）を含む全体の該周囲を囲んで密閉した形状構成の浴槽とした形態物体、構造体に於ける、該形態物体、構造体の周囲、周辺を囲む浴槽である。
尚、更に該構造方法は前方を、蛇腹構造の開閉式を用いて一体にして構成した囲い込み機能構造事も出来る。又、つなぎ目部分は、シリコン等にて癒着、ヒットする漏れを防ぐ癒着構造を為した。よって、該形態物体、構造体内に液体等の湯を貯める事が出来るものでる。故に入浴が出来る簡易風呂である。身体の入れ出し、お湯の入排出を容易に、便利、適宜適切に行える利点がある。
尚、更にサイド側の一方側に凸広大形状の置台部を設定して、物、手又は肘を置く台とする。其の一部箇所に切り替えスイッチを設定し該スイッチは水等に感電しないものである。又サイド側の一方側に凸広大形状の置台部は、作動スイッチ、他の作動命令の報知機能危険の際ブザー音スイッチボタンの設定をして安心、安全且つ便利に入浴できる簡易風呂ふうの構造物である。
よって、お湯作用を該浴槽の層に投入されている為、冷めない温かいお湯に守られた、入浴にて身体が温かく、身体に優しい、簡易風呂ふうの構造物である。尚、該浴槽の使用条項、必要項によって、液体、気体、温水、温風、遠赤外線、光線、関与設定して該層ごとに必要に応じて変えていく事も出来る。
それらを合体、一体化を為した該形態物体、構造体に、液体、気体、温水、温風、遠赤外線、光線、を関与設定出来得る特徴を有する簡易な風呂の構造物と為し、安全、安定、静止した風呂となす。
又、該お湯は流動機能を持ち又お湯を温める機能を有する。
よって、お湯作用を該浴槽の層に投入されている為、冷めない温かいお湯に守られた、入浴にて身体が温かく、身体に優しい、簡易風呂ふうの構造物である。尚、該浴槽の使用条項、必要項によって、液体、気体、温水、温風、遠赤外線、光線の使い分けを為す、相合、合体を為す、更に該必要に応じて該液体、気体、温水、温風、遠赤外線、光線を多重構造層によって、液体、気体、温水、温風、遠赤外線、光線の流通経路を変えて為す事も可能である。
又、相合、合体、又は一体化を為した該形態物体、構造体と為し、該形態物体、構造体させた、簡易風呂ふうの構造物の前側、横側に前板、横板を取り付け、挿入させて、又、該周辺を囲む構造、形態を為し、物を置く、スイッチを設定、動作指令、確認する場所を設定、示す事が出来る構造の特徴を有する簡易な便利な風呂とする事も出来る。
故に、上記記載の簡易風呂ふうの構造物に於いて、該構造物の浴槽を中心にして、二重、多重層の層を設けた三重槽の三重構造、多重構造の浴槽である。該浴槽には、お湯を投入、該抜くも可能である。
よって、お湯作用を該浴槽の層に投入されている為、冷めない温かいお湯に守られた、入浴にて身体が温かく、身体に優しい、簡易風呂ふうの構造物である。尚、該浴槽の使用条項、必要項によって、液体、気体、温水、温風、遠赤外線、光線、関与設定を該層ごとに必要に応じて変えていく事も出来る。
【実施例１６】
【００３６】
底部、床、壁、槽、又は全体が多重の構造とする特徴を持つ、うつわ、或いは層の浴槽、風呂である。
腰掛ける椅子ふうの構造の該両サイド及び該バックの該周囲を囲んで形状構成した形態物体、構造体、又は両サイド及び該バック及び該床を所持し其処に該身体を投入、座る事が出来る構成の該周囲を囲んで形状構成した形態物体、構造体に於いて、前記記載の形態物体、構造体の前方或いは前側周辺を囲む機能、構造、形状、又は形態の構成を為して、それらを合体、一体化を為した該形態物体、構造体に、液体、気体、温水、温風、遠赤外線、光線、を関与設定出来得る特徴を有する簡易な風呂に入っている人を描いているのである。
上記記載の簡易の風呂に於いて、該構造物の浴槽を中心にして、重の層を設けた二重槽構造の浴槽である。該浴槽には、お湯を投入、還流機能を挿入、設定し、又該抜くも可能である。
入浴槽の層にはお湯が張られている、該お湯を温める機能を有する。又お湯作用を該浴槽の二重の層の外側の層に投入される該お湯の流動機能、管理機能を持たせている構造の為、外側の熱いお湯並びに内側内のお湯が冷めない温かいお湯となり、該お湯に守られる、入浴にて身体が温かく、身体に優しい、簡易風呂ふうの構造物である。
該機能、構造、形状、又は形態の構成を為して、それらを合体、一体化を為した該形態物体、構造体に、液体、気体、温水、温風、遠赤外線、光線、を関与設定出来得る特徴を有する簡易の風呂の構造物である。
故に、入浴槽の層にはお湯が張られている。該お湯は流動機能を持ち又お湯を温める機能、構造、作用を有する。
よって、お湯作用を該浴槽の層に投入されている為、冷めない温かいお湯に守られた、入浴にて身体が温かく、身体に優しい、簡易風呂ふうの構造物である。尚、該浴槽の使用条項、必要項によって、液体、気体、温水、温風、遠赤外線、光線、関与設定を該層ごとに必要に応じて変えていく事も出来る。
【符号の説明】
【００３７】
１    構造体
２    腰掛け
３    足置
４    頭部背部もたれ
５    お湯
６    前側方の囲い
７    およそ立って肩下迄座れる構造体
８    観音開き構造の囲い
９    蛇腹
１０  囲い椅子
１１  囲い構造
１２  置台設定
１３  およそ座って腹下迄座れる構造体
１４  およそ立って足下迄の構造体
１５  移動
１６  層
１７  孔
１８  孔
１９  流動湯
２０  温風
２１  車輪
【図１】
2020182692.tif 000003
【図２】
2020182692.tif 000004
【図３】
2020182692.tif 000005
【図４】
2020182692.tif 000006
【図５】
2020182692.tif 000007
【図６】
2020182692.tif 000008
【図７】
2020182692.tif 000009
【図８】
2020182692.tif 000010
【図９】
2020182692.tif 000011
【図１０】
2020182692.tif 000012
【図１１】
2020182692.tif 000013
【図１２】
2020182692.tif 000014
【図１３】
2020182692.tif 000015
【図１４】
2020182692.tif 000016
【図１５】
2020182692.tif 000017
【図１６】
2020182692.tif 000018
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
床、又は  底部を所持する上に、身体を置き、その床、又は底部と共に、身体の首下、肩下、胸下、腹下位、若しくは足位迄の周囲を囲んだ、うつわ、或いは槽を設定した、うつわ、或いは槽において、持ち運びが可能とし、
又は、液体、固体、光線、遠赤外線、又は気体を挿入、照射、閉じ込めて為す、或いは、密閉して為す事が出来る構造にて、浴する又は照射する事が出来、
槽が多重の構造であり、一層目の槽及び二層目の槽には液体が入れられることを特徴とするうつわ、或いは槽とする浴槽、風呂。
【請求項２】
前記一層目の槽と前記二層目の槽との間に穴が設けられており、前記穴により、前記一層目の槽と前記二層目の槽との間での前記液体の流動が可能である、請求項１に記載のうつわ、或いは槽の浴槽、風呂。
【請求項３】
腰かける、座る、立てる事が出来る構造の特徴を持つ、請求項１又は２に記載のうつわ、或いは槽の浴槽、風呂。
【請求項４】
扉を所持し、身体の出入りを可能となる構造の特徴を持つ、請求項１〜３のいずれか１項に記載のうつわ、或いは槽の浴槽、風呂。
【請求項５】
車輪を設定した構造の特徴を持つ、請求項１〜４のいずれか１項に記載のうつわ、或いは槽の浴槽、風呂。
【請求項６】
大きくする、広げる、縮小する、又は、吊るす事が出来る特徴の、請求項１〜５のいずれか１項に記載のうつわ、或いは槽の浴槽、風呂。
【手続補正２】
【補正対象書類名】明細書
【補正対象項目名】００１１
【補正方法】変更
【補正の内容】
【００１１】
上記目的を達成するために、本発明は、該請求項の構成要件とで構成している。
請求項の１つの請求項は、本願特許の出願、うつわ、或いは層に於いて、上記の何れか１つに記載のうつわ、或いは層に於いて、穴又はスリットを設けた構造の特徴を持った、うつわ、或いは層。は俗名浴槽、風呂である。
よって、うつわ、或いは層の浴槽に設けた穴を塞ぎ、浴槽にお湯を張る事が出来る。又該浴槽の穴を塞いでお湯を張った、浴槽のお湯を、該浴槽の穴を開放して該お湯を抜く事が出来る。
液体、固体、気体を設ける、満たす、張る、閉じ込める等種々の機能を持つ、うつわ、或いは層の浴槽に於いて、それら、その部分に、穴又はスリットを設ける事によって、上記記載の機能、構造等の閉じ込める種々から身体を開放する事ができる。
必要部の部分スリット加工は、部分的な機能、作用を持たせる機構により、スリット加工から出るお湯は、身体的に効果的な圧力を為すマッサージ事が出来る、有意義となる、うつわ、或いは層の浴槽、風呂である。
尚、うつわ、或いは層の浴槽、風呂の掃除に於いても、便利な、有意義な、うつわ、或いは層の浴槽、風呂とする事が出来る。
故に、請求項は、密閉する、該密閉解除、漏れ防止、漏れ防止解除、流通経路、連絡通路、吹き出し溝、噴きだし口、ふきだし孔、流動孔、滑り止め、又は流出孔の機能、構造、作用、又は形状を構成した
特徴を有する簡易風呂ふう構造物の浴槽、風呂である。
【手続補正３】
【補正対象書類名】明細書
【補正対象項目名】００１２
【補正方法】変更
【補正の内容】
【００１２】
上記目的を達成するために、本発明は、該請求項の構成要件とで構成している。
請求項の１つの請求項は、本願特許の出願、うつわ、或いは層に於いて、上記の何れか１つに記載のうつわ、或いは層に於いて、大きくする、広げる、又は変化を為す事が出来る構造の特徴を持つ事が出来る、うつわ、或いは層。は俗名浴槽、風呂である。
伸ばす、縮める、広大、縮小する又はスライド式等を為す事が出来る機能、作用、構造を有して、その場所に存在、該沿った、身体に合わした、機能、環境、又は変化に添った、構造とすることにより、一層、使用し易い、入浴し易い、機能、構造とする事が出来る、うつわ、或いは層の浴槽、風呂である。
故に、請求項は、簡易風呂ふうの構造物の浴槽、風呂と為し、該全体或いは各部所等に於いて、凸、凹める、広大、縮小、滑り止め、移動可能等による機能、作用の構成等の変化、或いは静止、形状の変化、形状の追加、報知の設置、又は該管理装置等の該機能、形状、作用、構造を設定構成する特徴を有する簡易浴槽、風呂ふうの構造物である。故に、
簡易風呂ふうの構造物の浴槽、風呂は、箱形、丸型、又は種々雑多な形状を為す事が出来る、該形式、構成を設定してなる故に用途に合わせてなる構造と為す特徴を有する事が出来る。よって、身体良好な機能の設定をする事により身体に対して安心、またリラックスする構造、機能を有し入浴等出来る。
前記記載に於いて、該椅子等々の前側を囲む機能、構造、又は構成は、腰掛ける身体の位置、足場の設定の位置等の身体の在り方による該大小、曲げ、突出の形状形態を設定し、安定した、入りやすい、便利な特徴を有する構造、椅子式ふう風呂とする事が出来る。又、前記記載の該構造、椅子等の後部に背もたれがある部分を設置する事も出来る。故に首を支える機能構造を持てる、又前記機能構造の前方に顔を支え顔が湯に浸からなくて済むような前受板、張りだし、手もたれ機能構造を設置する事も出来る。適当なお湯の張れる高さ、温度を調節する機能構造構成等の備える事が出来る。
又、大小伸縮小広大移動等変化構造と為す事も可能である、よって、収納も簡単、場所も取らない少なくて済む、便利な、形状、形態、又は構造の構成の椅子式風呂の浴槽である。尚、形状形とは、箱型、丸型、突出し形、凹凸形、蛇腹、折り畳み、等々の種々な形状をも可とする。よって、一例として、前記機能構造にて顔を支え湯に浸からなくて済むような、両サイドに横前渡しの板の板を設定、機能、構造と為す、又適当なお湯の張れる高さを調節する広大機能構造構成等の備える事が出来る椅子式風呂の浴槽に於いても、蛇腹形構造形状を為して該蛇腹状に巻いてすぐ横、前に出せる移動が出来る、又蛇腹状に巻いて縮小、小さくする事が出来るので収納も簡単、場所も取らない少なくて済む、便利な、形状、形態、又は構造の構成の椅子式風呂が出来る。よって、どの角度、位置からでも該記載された機能、構成等により該簡易風呂に簡単に身体の出し入れが出来又お湯を溜める事が出来る。又、報知機能設置する事によって、他方に知らせて用を頼む、又危険時を知らせる等々を報知する事が出来る。
上記記載の種々の形状形式を設定する事が出来る事ので、該受容、需要、用途、に合せた構成とする事が出来る特徴を有する椅子式風呂等々の浴槽である
該浴槽は、更に収納、縮小、減少、広大、移動、構造変化、又は折り畳む事が出来る事が可能とする事を特徴とする浴槽を為す事が出来るので、該使い方等種々な用途が広がる特徴となる浴槽である。
該浴槽の囲いを開閉自在に為す。
又、該浴槽の囲いを開閉せず、該浴槽の中に、身体の入出を容易に可能とする機能を有する構造とする、において、該機能、構造は、伸縮性を持つ該材料（ビニ−ル）等の起用にて、為す。例えば、該浴槽の囲い部を、該伸縮性を持つビニ−ル等にて被いかぶす、該伸縮性の側のビニ−ル等を押しひろげて、又は、下にさげて、該浴槽の囲いを開閉せずに、浴槽に身体の入出させる事が出来る特徴を有する浴槽である
【手続補正４】
【補正対象書類名】明細書
【補正対象項目名】００１３
【補正方法】変更
【補正の内容】
【００１３】
上記目的を達成するために、本発明は、該請求項の構成要件とで構成している。
請求項の１つの請求項は、本願特許の出願、うつわ、或いは層に於いて、上記のいずれかに記載のうつわ、或いは層に於いて、液体、固体、光線、遠赤外線、又は気体を循環させる、管理する、報知する、又は停止する構造を有することを特徴とする、うつわ、或いは層。は、俗名浴槽、風呂である。
又は、層と層との間に空間を所持し、該層の間に、其々の液体、気体、温水、温風、遠赤外線、光線、を関与設定出来得る特徴を有した層の風呂である。該層を必要な利用の仕方で身体に有意義な効能、働き、作用を為す構造が出来る。
万一には報知する機能を備え万全を為す。故に、身体に有意義な効能、働き、作用を為す構造で凸、凹める、広大、縮小、移動可能等の形状の変化、形状の追加、それに報知の設置、又は前記記載の該管理装置等の設定構成する事により、有意義な特徴を有する簡易風呂ふうの構造物の浴槽である。
該発明は、例えば、該椅子風呂に液体、固体の流動、温度の機能を設ける事を特徴とする風呂の構成要件とで構成されているので、該風呂にお湯を入れる、溜める、該適温、適切流れをなし、健康マッサ−ジ機能等と為す働きを有する、該機能を以て必要に応じた構造、機能とする該設定をする。必要に応じた方法、構造の機能構造変化をも設置できるも可能であるので、浴槽にお湯を注ぐ、温度管理、身体にそそぐ等流れの機能を種々雑多に設ける事によってお湯の温度管理、流動機能を高め安心、安全性を為す、心地良い快適な入浴時の設定事が出来る効果を得られる。
請求項の記載の浴槽に於いて、前記記載の形状、機能、又は作用に於ける該変化、又は可動を為す構造又は構成となし、身体に良好、安心、安全、リラックスを関与させる事が出来る特徴となす浴槽、風呂である。
【手続補正５】
【補正対象書類名】明細書
【補正対象項目名】００１４
【補正方法】変更
【補正の内容】
【００１４】
上記目的を達成するために、本発明は、該請求項の構成要件とで構成している。
請求項の１つの請求項は、本願特許の出願、うつわ、或いは層に於いて、上記のいずれかに記載のうつわ、或いは層に於いて、底部、床、壁、槽、又は全体が多重の構造とする特徴を持つ、うつわ、或いは層。は俗名浴槽、風呂である。
該一層目、二層目、多層目と為す、多重の層からなす層は、冷水、液体、気体、温水、温風、マッサージ光線、温かい遠赤外線の光線等を関与をさせる事が出来る、故に、該必要、用途に合し設定、又は変更する事が出来る該多目的とする用途が出来得る。故に多数設けた層にて、それら該機能させてより良い簡易風呂の浴槽を製作する事が出来る。
又、該流動機能のお湯、冷水、液体、気体、温水、温風、光線又は遠赤外線、は、二層目に設けた単数、又は多数の穴より一層目の槽層に向けて流動する、故に槽（一）、二、三層目から該槽に流動する事も出来る、該機能等々をなしえ、一層より良い身体の温め、冷やす、流し洗い等々の必要、用途を為し得る事が出来る。即ち、１層目、２層目、３層目、多層目を設定して、１層目、２層目、３層目、多層目、等々を組み合わせ、重ねて一つの浴槽層とする、該１、２、３、多層層目に必要、用途、機能に応じた、合せた液体、気体、温水、温風、光線又は遠赤外線を該層の事項に設定する。よって、該安定、静止滞る、流動性の機能を持ち、身体に良い温度管理の清潔行為機能の設定を為す方法となり、よって、層の使い分けをする事が出来る。又、構造物の部分を層として構成する構造物の層の層を、又関連部を層として構成する構造物の層の層を、又該全体を為す構造を層として構成する構造物の層の層を、該単独、１層目、多層目の部分に持ち、更に其処に単数或いは複数の孔を設け、該冷水、液体、気体、温水、温風、光線又は遠赤外線の機能、作用、流動、構成を設定する事も可能である。
然るに、単独又は関連して構成した部分又は関連部又は該全体をなす構造体を一重或いは二重或いは多重に構成する特徴を有する簡易風呂ふうの構造物の浴槽である。
層と層との間に空間を所持し、該層の間に、其々の液体、気体、温水、温風、遠赤外線、光線、を関与設定出来得る特徴を有した層である。該層を必要な利用の仕方で身体に有意義な効能、働き、作用を為す構造が出来る。
故に、底部、床、壁、槽、の全体を多重層に、又は底部、床、壁、槽、の一部分、部分的に多重の構造とする特徴として使用、作用、構造と為して構成することにより、より一層目的利用と為す事が出来る。
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
床、又は  底部を所持する上に、身体を置き、その床、又は底部と共に、身体の首下、肩下、胸下、腹下位、若しくは足位迄の周囲を囲んだ、うつわ、或いは槽を設定した、うつわ、或いは槽において、持ち運びが可能とし、
又は、液体、固体、光線、遠赤外線、又は気体を挿入、照射、閉じ込めて為す、或いは、密閉して為す事が出来る構造にて、浴する又は照射する事が出来、
槽が多重の構造であり、一層目の槽及び二層目の槽にはお湯が入れられることを特徴とするうつわ、或いは槽とする浴槽、風呂。
【請求項２】
前記一層目の槽と前記二層目の槽との間に穴が設けられており、前記穴により、前記二層目の槽から前記一層目の槽へ向けて前記液体の流動が可能である、請求項１に記載のうつわ、或いは槽の浴槽、風呂。
【請求項３】
腰かける、座る、立てる事が出来る構造の特徴を持つ、請求項１又は２に記載のうつわ、或いは槽の浴槽、風呂。
【請求項４】
扉を所持し、身体の出入りを可能となる構造の特徴を持つ、請求項１〜３のいずれか１項に記載のうつわ、或いは槽の浴槽、風呂。
【請求項５】
車輪を設定した構造の特徴を持つ、請求項１〜４のいずれか１項に記載のうつわ、或いは槽の浴槽、風呂。
【請求項６】
大きくする、広げる、縮小する、又は、吊るす事が出来る特徴の、請求項１〜５のいずれか１項に記載のうつわ、或いは槽の浴槽、風呂。